【事件の表示】
　特許第６６２９８０３号に関する訂正審判事件について、次のとおり審決する。
【結　論】
　特許第６６２９８０３号の特許請求の範囲を本件審判請求書に添付された訂正特許請求の範囲のとおり訂正することを認める。
【理　由】
第１　手続の経緯
　本件訂正審判の請求に係る特許第６６２９８０３号は、平成２９年９月１２日に出願したものであって、令和元年１２月１３日に設定登録がされ、令和２年１月１５日に特許掲載公報が発行された。
　そして、令和２年２月１８日に本件訂正審判の請求がされたものである。
第２　請求の趣旨
　本件訂正審判の請求の趣旨は、特許６６２９８０３号の特許請求の範囲を本件審判請求書に添付した訂正特許請求の範囲のとおり訂正（以下、「本件訂正」という。）することを認める、との審決を求めるものである。
第３　訂正の内容
１　訂正事項１
　本件特許請求の範囲の請求項１に
「糸状の繊維が長手方法に沿って複数配列される繊維束を前記治具の外周面に巻き付ける工程」とされているのを、
「糸状の繊維が長手方
向
２　訂正事項２
　本件特許請求の範囲の請求項１に
「前記治具の外周面に巻き付けられた繊維束に樹脂を含侵させる工程」とされているのを、
「前記治具の外周面に巻き付けられた繊維束に樹脂を含
浸
第４　当審の判断
１　訂正事項１について
ア　訂正の目的について
　本件特許の請求項１における「糸状の繊維が長手方法に沿って複数配列される繊維束」とは、糸状の繊維を複数配列して繊維束を構成する態様を特定しようとするものと解されるが、ここでいう「長手方法に沿って」との文言は、本件特許発明が属する分野である回転電機の分野において当業者により技術常識として知られていたものではなく、請求項１の「糸状の繊維が長手方法に沿って複数配列される繊維束」の記載から、糸状の繊維がどのように複数配列されて繊維束を構成するのか、直ちに理解できるとはいえない。
　一方、願書に添付した明細書（以下、「特許明細書」という。）には、次の記載がある。
（ア）「【０００６】
（１）本発明は、回転部材（例えば、後述する回転軸３５）と、前記回転部材の外周側に配置される複数の永久磁石（例えば、後述する永久磁石３２）と、複数の前記永久磁石の外周面側に設けられ、
糸状の繊維強化プラスチックが長手方向に沿って複数配列される繊維束（例えば、後述するＣＦ繊維束１３３）により形成される被覆筒
（イ）「【００３０】
　被覆筒３３は、図３Ａに示すように、ＣＦ繊維束１３３を治具５０の外周面に巻き付けた後、樹脂を塗布することにより形成される。
ＣＦ繊維束１３３に含まれる糸状ＣＦ（ＣＦの繊維一本）１３３ａの配向方向は、ＣＦ繊維束１３３の長手方向と略平行となる。
　上記（ア）には、繊維束が糸状の繊維を長手方向に沿って複数配列されることが記載され、上記（イ）には、繊維束に含まれる糸状の繊維の配向方向は、繊維束の長手方向と略平行であることが記載されているから、上記（ア）及び（イ）の記載から、特許明細書には、糸状の繊維が複数配列されて繊維束を構成する態様として、「糸状の繊維が長手方
向
　よって、訂正事項１は、誤記を訂正するものであるから、特許法第１２６条第１項ただし書第２号の「誤記又は誤訳の訂正」を目的とするものである。
イ　願書に最初に添付した明細書、特許請求の範囲又は図面に記載した事項の範囲内の訂正であること
　願書に最初に添付した明細書の段落【０００６】、【００３０】には、「糸状の繊維強化プラスチックが長手方向に沿って複数配列される繊維束」、「ＣＦ繊維束１３３に含まれる糸状ＣＦ（ＣＦの繊維一本）１３３ａの配向方向は、ＣＦ繊維束１３３の長手方向と略平行」及び「ＣＦ繊維束１３３は、図３Ｂに示すように、幅方向ＤＷの一部が互いに重なるように、筒状の治具５０の周方向に沿って螺旋状に巻き付けられる」と記載されているから、願書に最初に添付した明細書には、「糸状の繊維が長手方向に沿って複数配列される繊維束を治具の外周面に巻き付ける工程」が記載されているといえる。よって、訂正事項１は、願書に最初に添付した明細書に記載した事項の範囲内の訂正であり、特許法第１２６条第５項の規定に適合するものである。
ウ　実質上特許請求の範囲を拡張し、又は変更する訂正ではないこと
　訂正事項１は、上記アのとおり、特許請求の範囲における誤記を、特許明細書の記載から自明な正しい表記に訂正するものであるから、実質上特許請求の範囲を拡張し又は変更するものには該当せず、特許法第１２６条第６項の規定に適合するものである。
エ　独立特許要件について
　訂正事項１は、誤記の訂正を目的とするものであるので、訂正後の特許請求の範囲に記載されている事項により特定される発明が特許出願の際独立して特許を受けることができることが要件となるところ、当該訂正後における特許請求の範囲の請求項１〜３に係る発明が、特許出願の際独立して特許を受けることができないものであるとする理由を発見しないから、訂正事項１に係る訂正は、特許法第１２６条第７項に規定する要件を満たす。
オ　小括
　よって、訂正事項１は、特許法第１２６条第１項ただし書第２号に掲げる誤記の訂正を目的とするものに該当し、かつ、同条第５項ないし第７号の規定に適合するものである。
２　訂正事項２について
ア　訂正の目的について
　本件特許の請求項１における「前記治具の外周面に巻き付けられた繊維束に樹脂を含侵させる工程」について、「含侵」なる用語ならびにその意味が、本件特許発明が属する技術分野である回転電機の技術分野において当業者により技術常識として知られていたものとはいえず、「樹脂を含侵させる工程」との記載が、一見して誤りであることが明らかであるところ、「含
浸
　そうすると、本件特許の請求項１における「前記治具の外周面に巻き付けられた繊維束に樹脂を含侵させる工程」の記載は、漢字の読みが同じであったことから「浸」を誤って「侵」としたものであって、当然に「前記治具の外周面に巻き付けられた繊維束に樹脂を含
浸
　よって、訂正事項２は、誤記を訂正するものであるから、特許法第１２６条第１項ただし書第２号の「誤記又は誤訳の訂正」を目的とするものである。
イ　願書に最初に添付した明細書、特許請求の範囲又は図面に記載した事項の範囲内の訂正であること
　願書に最初に添付した明細書には、次の記載がある。
「【００３６】
　本実施形態の被覆筒３３において、ＣＦ繊維束１３３は、樹脂が含浸していない状態で
治具５０の外周面に巻き付けられる。ＣＦ繊維束１３３は、治具５０に巻き付けられた後、樹脂が塗布（含浸）される。
　上記の記載から、願書に最初に添付した明細書には、「治具の外周面に巻き付けられた繊維束に樹脂を含
浸
ウ　実質上特許請求の範囲を拡張し、又は変更する訂正ではないこと
　訂正事項２は、上記アのとおり、特許請求の範囲の記載が、それ自体で誤りであることが明らかであり、その誤りを正しい記載に訂正するものであるから、実質上特許請求の範囲を拡張し又は変更するものには該当せず、特許法第１２６条第６項の規定に適合するものである。
エ　独立特許要件について
　訂正事項２は、誤記の訂正を目的とするものであるので、訂正後の特許請求の範囲に記載されている事項により特定される発明が特許出願の際独立して特許を受けることができることが要件となるところ、当該訂正後における特許請求の範囲の請求項１〜３に係る発明が、特許出願の際独立して特許を受けることができないものであるとする理由を発見しないから、訂正事項２に係る訂正は、特許法第１２６条第７項に規定する要件を満たす。
オ　小括
　よって、訂正事項２は、特許法第１２６条第１項ただし書第２号に掲げる誤記の訂正を目的とするものに該当し、かつ、同条第５項ないし第７号の規定に適合するものである。
第５　むすび
　以上のとおりであるから、本件訂正は、特許法第１２６条第１項ただし書第２号に掲げる事項を目的とするものであり、かつ、同条第５項ないし第７項の規定に適合するものである。
　よって、結論のとおり審決する。